(57)【要約】幅方向に伸縮する背側弾性部材（２４）を背側胴回り部（１３）に配設して背側弾性領域（２５）を形成する。幅方向に伸縮する腹側弾性部材（２６）を腹側胴回り部（１５）に配設して腹側弾性領域（２７）を形成する。装着者の背側と腹側で背側胴回り部（１３）と腹側胴回り部（１５）がともに伸縮して胴回りの密着性を向上できる。背側弾性部材（２４）の本数を腹側弾性部材（２６）の本数よりも多くする。背側弾性領域（２５）を腹側弾性領域（２７）よりもおむつ体（１）の長手方向に幅広に形成する。装着者の背側の密着性を向上してずれ落ちを防止できるとともに、装着者の腹側を必要以上に締め付けず、圧迫感を軽減できる。
2004054482.tif 000002
【特許請求の範囲】
【請求項１】
透液性表面シート、不透液性裏面シート、これら透液性表面シートと不透液性裏面シートとの間に配設された吸収体、および、前記不透液性裏面シートの外面側に結合された外装シートを備えた吸収性物品体を具備し、
前記吸収性物品体は、
長手方向に順次一体的に設けられ、装着者の背側に位置する背側胴回り部、幅方向両側に脚回り部を有する股下回り部および装着者の腹側に位置する腹側胴回り部と、
前記背側胴回り部の幅方向の両側部と前記腹側胴回り部の幅方向の両側部との接合により形成され、装着者の腰回りに位置する腰回り開口部および装着者の脚回りに位置する一対の脚回り開口部と、
前記腰回り開口部の縁部の全周に亘って配設された腰回り用弾性部材と、
前記吸収性物品体の幅方向に伸縮可能な複数の背側弾性部材を有し、前記背側胴回り部に前記吸収性物品体の長手方向に亘って形成された背側弾性領域と、
前記吸収性物品体の幅方向に伸縮可能な複数の腹側弾性部材を有し、前記腹側胴回り部に前記吸収性物品体の長手方向に亘って形成された腹側弾性領域とを備え、
前記背側弾性部材は、前記腹側弾性部材よりも本数が多く設けられ、
前記背側弾性領域は、前記腹側弾性領域よりも前記吸収性物品体の長手方向に幅広に形成された
ことを特徴とする使い捨て吸収性物品。
【請求項２】
背側弾性部材は、各腹側弾性部材の間隔と略等しい間隔にそれぞれ配設され、かつ背側胴回り部の幅方向の両側部と腹側胴回り部の幅方向の両側部とを接合した際に、一部の両端部が前記腹側弾性部材の両端部とそれぞれ連結される
ことを特徴とする請求の範囲第１項に記載の使い捨て吸収性物品。
【請求項３】
背側弾性部材は、腰回り用弾性部材とこの腰回り用弾性部材に最も近い部分との間隔が、前記各背側弾性部材の間隔と略等しい
ことを特徴とする請求の範囲第１項または第２項に記載の使い捨て吸収性物品。
【請求項４】
背側弾性部材は、腰回り用弾性部材に最も近い部分とこの腰回り用弾性部材との間隔が、腹側弾性部材の前記腰回り用弾性部材に最も近い部分とこの腰回り用弾性部材との間隔と略等しい位置に配設され、
吸収体は、腹側弾性領域と重ならず、かつ背側弾性領域と重なる位置に配設された
ことを特徴とする請求の範囲第１項ないし第３項いずれかに記載の使い捨て吸収性物品。
【請求項５】
腹側弾性部材は、脚回り部に最も近い部分が背側弾性部材の前記脚回り部に最も近い部分よりもこの脚回り部寄りに配設され、
吸収体は、背側弾性領域と重ならず、かつ腹側弾性領域と重なる位置に配設された
ことを特徴とする請求の範囲第１項ないし第３項いずれかに記載の使い捨て吸収性物品。
【請求項６】
背側弾性部材は、脚回り部に最も近い部分とこの脚回り部との間隔が、腹側弾性部材の前記脚回り部に最も近い部分とこの脚回り部との間隔と略等しい位置に配設され、
吸収体は、背側弾性領域と重ならず、かつ腹側弾性領域と重なる位置に配設された
ことを特徴とする請求の範囲第１項ないし第３項いずれかに記載の使い捨て吸収性物品。
【発明の詳細な説明】
【技術分野】  本発明は、例えば大人用、あるいは失禁用などの使い捨て吸収性物品に関する。
【背景技術】  従来、この種の使い捨て吸収性物品は、透液性表面シートと不透液性裏面シートとの間に吸収体が配設された吸収体本体部の衣服面側に外装シートが設けられた吸収性物品体を備えている。この吸収性物品体は、長手方向に沿って背側胴回り部、脚回り部および腹側胴回り部が順次一体に形成されている。また、吸収性物品体は、背側胴回り部および腹側胴回り部の幅方向の両側部が接合されて腰回り開口部および一対の脚回り開口部が形成されるパンツ形状に予め形成されている。さらに、腰回り開口部の縁部には、全周に亘って腰回り用弾性部材が配設されている。そして、背側胴回り部および腹側胴回り部にはそれぞれ背側弾性部材および腹側弾性部材が配設されており、胴回り部周辺が伸縮可能となっている（例えば、特開２００２−１６５８２０号公報参照。）。
しかしながら、上述の使い捨て吸収性物品では、吸収性物品体をパンツ形状に形成した際に、背側弾性部材と腹側弾性部材とが略等しい位置に配設されているとともに、各背側弾性部材と各腹側弾性部材との本数および伸縮率が略等しいため、背側弾性部材と腹側弾性部材との伸張応力が弱いと密着性が悪化し、ずれ落ちることがある。
この結果、密着性を向上し、ずれ落ちを防止し、漏れを防止するために伸張応力を強くする傾向にあり、装着者に対して必要以上に圧迫感が生じ、特に下腹部が突出した体型の装着者の場合などには、下腹部に圧迫感が生じるという問題点を有している。
また、例えば装着者が高齢者であって、常に前傾姿勢となっている場合などには、背側胴回り部と腹側胴回り部とにおける背側弾性部材と腹側弾性部材との伸張応力が同じであると、背側からずり落ちるおそれがあるという問題点も有している。
本発明はこのような点に鑑みなされたもので、密着性がよく、ずれ落ちを防止でき、かつ圧迫感を軽減できる使い捨て吸収性物品を提供することを目的とする。
【発明の開示】
本発明の使い捨て吸収性物品は、透液性表面シート、不透液性裏面シート、これら透液性表面シートと不透液性裏面シートとの間に配設された吸収体、および、前記不透液性裏面シートの外面側に結合された外装シートを備えた吸収性物品体を具備し、前記吸収性物品体は、長手方向に順次一体的に設けられ、装着者の背側に位置する背側胴回り部、幅方向両側に脚回り部を有する股下回り部および装着者の腹側に位置する腹側胴回り部と、前記背側胴回り部の幅方向の両側部と前記腹側胴回り部の幅方向の両側部との接合により形成され、装着者の腰回りに位置する腰回り開口部および装着者の脚回りに位置する一対の脚回り開口部と、前記腰回り開口部の縁部の全周に亘って配設された腰回り用弾性部材と、前記吸収性物品体の幅方向に伸縮可能な複数の背側弾性部材を有し、前記背側胴回り部に前記吸収性物品体の長手方向に亘って形成された背側弾性領域と、前記吸収性物品体の幅方向に伸縮可能な複数の腹側弾性部材を有し、前記腹側胴回り部に前記吸収性物品体の長手方向に亘って形成された腹側弾性領域とを備え、前記背側弾性部材は、前記腹側弾性部材よりも本数が多く設けられ、前記背側弾性領域は、前記腹側弾性領域よりも前記吸収性物品体の長手方向に幅広に形成されたものである。そして、背側胴回り部と腹側胴回り部とに、幅方向に伸縮する背側弾性部材と腹側弾性部材とをそれぞれ配設して背側弾性領域と腹側弾性領域とを形成することにより、装着者の背側と腹側とで背側胴回り部と腹側胴回り部とがともに伸縮して胴回りの密着性を向上できる。また、背側弾性部材の本数を腹側弾性部材の本数よりも多くするとともに、背側弾性領域を腹側弾性領域よりも吸収性物品体の長手方向に幅広に形成することにより、装着者の背側の密着性を向上してずれ落ちを防止できるとともに、装着者の腹側を必要以上に締め付けず、圧迫感を軽減できる。
また、本発明の使い捨て吸収性物品は、背側弾性部材は、各腹側弾性部材の間隔と略等しい間隔にそれぞれ配設され、かつ背側胴回り部の幅方向の両側部と腹側胴回り部の幅方向の両側部とを接合した際に、一部の両端部が前記腹側弾性部材の両端部とそれぞれ連結されるものである。そして、各背側弾性部材を、各腹側弾性部材の間隔と略等しい間隔にそれぞれ配設し、かつ背側胴回り部の幅方向の両側部と腹側胴回り部の幅方向の両側部とを接合した際に、背側弾性部材の一部の両端部が腹側弾性部材の両端部とそれぞれ連結されることにより、背側胴回り部と腹側胴回り部とが、装着者の腰回り全周に亘って一体的に密着してずれ落ちを防止できる。
さらに、本発明の使い捨て吸収性物品は、背側弾性部材は、腰回り用弾性部材とこの腰回り用弾性部材に最も近い部分との間隔が、前記各背側弾性部材の間隔と略等しいものである。そして、背側弾性部材における、腰回り用弾性部材とこの腰回り用弾性部材に最も近い部分との間隔を、各背側弾性部材の間隔と略等しくして、装着者の背側に背側弾性部材と腰回り用弾性部材とを均一に配設することにより、背側胴回り部の全体が弾性領域となって腰回り用弾性部材による弾性領域から背側弾性領域まで背側胴回り部が一体的に伸縮し、密着性を向上できてずれ落ちを防止できる。
また、本発明の使い捨て吸収性物品は、背側弾性部材は、腰回り用弾性部材に最も近い部分とこの腰回り用弾性部材との間隔が、腹側弾性部材の前記腰回り用弾性部材に最も近い部分とこの腰回り用弾性部材との間隔と略等しい位置に配設され、吸収体は、腹側弾性領域と重ならず、かつ背側弾性領域と重なる位置に配設されたものである。そして、背側弾性部材の腰回り用弾性部材に最も近い部分と腰回り用弾性部材との間隔を、腹側弾性部材の腰回り用弾性部材に最も近い部分と腰回り用弾性部材との間隔と略等しくすることにより、背側胴回り部と腹側胴回り部との腰回り開口部側全体が弾性領域となるため、背側胴回り部と腹側胴回り部とが装着者の腰回り全周に亘って一体的に密着してずれ落ちを防止できる。また、吸収体を背側弾性領域と重なる位置に配設することにより、吸収体が装着者の背側に密着し、吸収体を背側に必要以上に長くすることなく、例えば排泄液などの背側からの漏れを防止できる。
さらに、本発明の使い捨て吸収性物品は、腹側弾性部材は、脚回り部に最も近い部分が背側弾性部材の前記脚回り部に最も近い部分よりもこの脚回り部寄りに配設され、吸収体は、背側弾性領域と重ならず、かつ腹側弾性領域と重なる位置に配設されたものである。そして、腹側弾性部材における脚回り部に最も近い部分を、背側弾性部材における脚回り部に最も近い部分よりもこの脚回り部寄りに配設することにより、装着者の腹側を必要以上に締め付けることを防止できる。また、吸収体を腹側弾性領域と重なる位置に配設することにより、吸収体が装着者の腹側に密着し、吸収体を腹側に必要以上に長くすることなく、腹側からの漏れを防止できる。
また、本発明の使い捨て吸収性物品は、背側弾性部材は、脚回り部に最も近い部分とこの脚回り部との間隔が、腹側弾性部材の前記脚回り部に最も近い部分とこの脚回り部との間隔と略等しい位置に配設され、吸収体は、背側弾性領域と重ならず、かつ腹側弾性領域と重なる位置に配設されたものである。そして、背側弾性部材の脚回り部に最も近い部分と脚回り部との間隔を、腹側弾性部材の脚回り部に最も近い部分と脚回り部との間隔と略等しくすることにより、背側胴回り部と腹側胴回り部との脚回り部側全体が弾性領域となるため、背側胴回り部と腹側胴回り部とを装着者の脚回り全周に亘って一体的に密着できる。また、吸収体を腹側弾性領域と重なる位置に配設することにより、吸収体が装着者の腹側に密着し、吸収体を腹側に必要以上に長くすることなく、腹側からの漏れを防止できる。
【図面の簡単な説明】  第１図は本発明の使い捨て吸収性物品の第１の実施の形態を示す平面図であり、第２図は同上使い捨て吸収性物品を示す縦断面図であり、第３図は同上使い捨て吸収性物品を示す斜視図であり、第４図は同上使い捨て吸収性物品の他の実施例を示す斜視図であり、第５図は同上使い捨て吸収性物品のさらに他の実施例を示す斜視図であり、第６図は本発明の使い捨て吸収性物品の第２の実施の形態を示す斜視図であり、第７図は本発明の使い捨て吸収性物品の第３の実施の形態を示す斜視図であり、第８図は同上使い捨て吸収性物品の他の実施例を示す斜視図である。
【発明を実施するための最良の形態】  以下、本発明の使い捨て吸収性物品の第１の実施の形態の構成を第１図ないし第３図を参照して説明する。
第１図において、使い捨て吸収性物品は、例えば使い捨て紙おむつであり、吸収性物品体としてのおむつ体１を備えている。このおむつ体１は、第１図に示す展開状態から、第３図に示すパンツ形状にすることで、例えば病人、失禁者などの装着者の背部側から腹部側に身体に沿って装着するものである。そして、このおむつ体１は、透液性を有する透液性表面シート２、不透液性を有する不透液性裏面シート３、これら透液性表面シート２と不透液性裏面シート３との間に配設された液吸収性を有する吸収体４、および不透液性裏面シート３の外面側に結合された外装シート５にて層状に形成されている。
また、透液性表面シート２と不透液性裏面シート３とは、周縁部が例えば接着剤などで接合されて吸収体４が封着されている。
ここで、透液性表面シート２は、例えば織布、不織布、多孔性フィルム、或いは合成繊維などの、透液性および通気性を有しかつ肌着に近い感触のシート材で形成され、尿などの排泄液を吸収体４へ透過するとともに、身体に直接接触しても不快感を与えないようになっている。
また、不透液性裏面シート３は、例えばポリエチレン（ｐｏｌｙｅｔｈｙｌｅｎｅ）樹脂などの合成樹脂など、不透液性および通気性を有したシート材にて形成され、尿などの排泄液にて例えば下着などの他の衣類、或いはシーツなどの汚れを防止している。
さらに、吸収体４は、例えばパルプを主とする材料であって一部に高分子吸収体などの物質を含んだ材料にてシート状に形成され、尿などの排泄液を充分に吸収する。
そして、これら透液性表面シート２、不透液性裏面シート３および吸収体４は、第１図に示すように、おむつ体１の長手方向に略沿って略矩形状に形成され、外装シート５の中心域に位置している。
さらに、外装シート５は、第１図および第２図に示すように、透液性表面シート２、不透液性裏面シート３および吸収体４よりも大きく形成され、通気性および不透液性を有する内側シート片１１と外側シート片１２とが、厚さ方向に重ね合わせて一体的に接合して形成され、不透液性裏面シート３の外側面が内側シート片１１に例えば接着剤などにて接合されている。
そして、この外装シート５は、装着者の背側に位置する背側胴回り部１３、股下回り部１４および装着者の腹側に位置する腹側胴回り部１５が、展開状態でおむつ体１の長手方向に順次一体的に形成されるとともに、長手方向に略沿った中心線にて線対称な略矩形状に形成されている。また、外装シート５の股下回り部１４の幅方向の両側縁には、略凹弧状に切り欠き形成された脚回り部１６が形成されている。
また、透液性表面シート２、不透液性裏面シート３および吸収体４は、おむつ体１の外装シート５の長手方向に略沿った状態で、背側胴回り部１３、股下回り部１４および腹側胴回り部１５の略中央に亘って配設されている。
さらに、おむつ体１の外装シート５の背側胴回り部１３は、展開状態におけるおむつ体１の長手方向の一端側に形成され、この展開状態からおむつ体１が適宜折り曲げられて、装着者の腰回りの背部側に位置する部分となっている。そして、この背側胴回り部１３の両外側縁部には、図示しない背側結合部が形成されている。
また、おむつ体１の股下回り部１４は、展開状態における長手方向の中間部に、背側胴回り部１３から腹側胴回り部１５に亘っておむつ体１の長手方向側に連続して一体に形成され、この展開状態からおむつ体１が適宜折り曲げられて、装着者の股下に位置する部分となっている。
そして、おむつ体１の腹側胴回り部１５は、展開状態におけるおむつ体１の長手方向の股下回り部１４の背側胴回り部１３と反対側の他端側に連続して一体に形成され、この展開状態からおむつ体１が適宜折り曲げられて、装着者の腰回りの腹部側に位置する部分となっている。また、この腹側胴回り部１５は、背側胴回り部１３と同様に、おむつ体１の幅方向に略沿った長手方向を有した略矩形状に形成されている。
さらに、腹側胴回り部１５の両外側部近傍には、背側胴回り部１３の背側結合部と接合される図示しない腹側結合部が設けられている。そして、これら腹側結合部と背側結合部とを接合することにより、第３図に示すように、背側胴回り部１３および腹側胴回り部１５により装着者の腰回りに位置する腰回り開口部２１が形成され、かつ一対の脚回り部１６により一対の脚回り開口部２２が形成されるパンツ形状となる。
また、背側胴回り部１３および腹側胴回り部１５における内側シート片１１および外側シート片１２の間には、第１図に示すように、複数本、例えば３本の腰回り用弾性部材２３が配設されている。これら腰回り用弾性部材２３は、例えば紐状ゴムなどの伸縮可能な部材であり、背側胴回り部１３の幅方向に伸張した状態で、この背側胴回り部１３の幅方向に沿って接着剤などにてそれぞれ固着されている。また、これら腰回り用弾性部材２３は、おむつ体１の長手方向に、好ましくは２ｍｍ以上７ｍｍ以下の間隔Ｇ１に互いに略等間隔に離間されて配設されている。したがって、これら腰回り用弾性部材２３は、おむつ体１を第３図に示すパンツ形状に形成した際の腰回り開口部２１の縁部の全周に亘って配設されている。この結果、これら腰回り用弾性部材２３により、背側胴回り部１３および腹側胴回り部１５の略全域、すなわち装着者の腰回りの略全周に亘って伸縮性が付与される。
さらに、背側胴回り部１３における内側シート片１１および外側シート片１２の間には、複数本の背側弾性部材２４が配設されている。これら背側弾性部材２４は、例えば紐状ゴムなどの伸縮自在の部材であり、背側胴回り部１３の幅方向に沿って伸張した状態で接着剤などにて固着されている。また、これら背側弾性部材２４は、おむつ体１の長手方向に、好ましくは２〜６本／５ｃｍの間隔に互いに略等間隔に離間されて配設されている。本実施の形態においては、背側弾性部材２４は、８ｍｍ以上２０ｍｍ以下の間隔Ｇ２に７本配設されている。すなわち、背側弾性部材２４は、腰回り用弾性部材２３よりも間隔が広く配設されている。言い換えると、腰回り用弾性部材２３は、背側弾性部材２４よりも間隔が狭く形成されている。したがって、Ｇ１＜Ｇ２である。
そして、これら背側弾性部材２４は、背側胴回り部１３の幅方向に伸縮可能であり、これら背側弾性部材２４の伸縮により、背側胴回り部１３が幅方向に伸縮可能となっている。さらに、背側胴回り部１３には、第３図に示すように、背側弾性部材２４により、おむつ体１の長手方向に沿って背側弾性領域２５が形成されている。
ここで、背側弾性領域２５は、応力が１．５〜２．０Ｎに設定されることが好ましい。このため、各背側弾性部材２４は、例えば伸張応力が０．０８〜２．５Ｎ／本、伸張率が１．５〜３．０倍にそれぞれ設定されている。
また、背側弾性部材２４における腰回り用弾性部材２３に最も近い部分、すなわち第３図に示す一番上側に位置した背側弾性部材２４と腰回り用弾性部材２３との間の間隔Ｇ３は、各背側弾性部材２４の間隔Ｇ２よりも大きく形成されている。すなわち、Ｇ２＜Ｇ３である。
さらに、腹側胴回り部１５における内側シート片１１および外側シート片１２の間には、複数本の腹側弾性部材２６が配設されている。
これら腹側弾性部材２６は、例えば紐状ゴムなどの伸縮自在の部材であり、腹側胴回り部１５の幅方向に沿って伸張した状態で接着剤などにて固着されている。また、これら腹側弾性部材２６は、おむつ体１の長手方向に、好ましくは２〜６本／５ｃｍの間隔に互いに略等間隔に離間されて配設されている。本実施の形態においては、腹側弾性部材２６は、８ｍｍ以上２０ｍｍ以下の間隔Ｇ４に５本配設されている。すなわち、これら腹側弾性部材２６は、背側弾性部材２４よりも本数が少なく、かつ腰回り用弾性部材２３よりも間隔が広く配設されている。言い換えると、背側弾性部材２４は、腹側弾性部材２６よりも本数が多く、かつ腰回り用弾性部材２３は、腹側弾性部材２６よりも間隔が狭く形成されている。
そして、これら腹側弾性部材２６は、腹側胴回り部１５の幅方向に伸縮可能であり、これら腹側弾性部材２６の伸縮により、腹側胴回り部１５が幅方向に伸縮可能となっている。さらに、腹側胴回り部１５には、腹側弾性部材２６により、おむつ体１の長手方向に沿って腹側弾性領域２７が形成されている。
ここで、腹側弾性領域２７は、応力が１．０〜１．５Ｎに設定されることが好ましいので、各腹側弾性部材２６は、例えば伸張応力が０．０８〜２．５Ｎ／本、伸張率が１．５〜３．０倍にそれぞれ設定されている。
また、腹側弾性部材２６における腰回り用弾性部材２３に最も近い部分、すなわち最も腰回り開口部２１側に位置した腹側弾性部材２６は、おむつ体１をパンツ形状に形成した際に、背側弾性部材２４における腰回り用弾性部材２３から２番目に近い部分、すなわち第３図に示す上側から２本目の背側弾性部材２４と略等しい位置に配設されている。そして、最も腰回り開口部２１側に位置した腹側弾性部材２６の両端部は、おむつ体１をパンツ形状に形成した際に、第３図に示す上側から２本目の背側弾性部材２４の両端部と連結される。
さらに、腹側弾性部材２６の間隔Ｇ４は、各背側弾性部材２４の間隔Ｇ２と略等しく形成されている。すなわち、Ｇ２≒Ｇ４である。したがって、腹側弾性領域２７は、背側弾性領域２５よりもおむつ体１の長手方向に幅狭に形成されている。言い換えると、背側弾性領域２５は、腹側弾性領域２７よりもおむつ体１の長手方向に幅広に形成されている。この結果、各腹側弾性部材２６の両端部は、おむつ体１を第３図に示すパンツ形状に形成した際に、背側弾性部材２４における第３図に示す上側から２本目ないし５本目の両端部とそれぞれ連結される。
そして、腹側弾性部材２６の伸縮率は、例えば背側弾性部材２４と異なる素材を使用したり、同一素材でも太さなどの性能を異なるものとしたりすることで、好ましくは腹側弾性領域２７の伸縮率を背側弾性領域２５の伸縮率以下とする。
また、外装シート５の内側シート片１１および外側シート片１２の間に位置した両脚回り部１６の近傍には、例えば紐状ゴムなどの図示しない脚回り用弾性部材がそれぞれ伸張された状態で配設されている。このため、脚回り部１６には、脚回り用弾性部材により、おむつ体１の長手方向および幅方向に伸縮性が付与され、この伸縮によりおむつ体１の脚回り部１６がギャザ部に形成される。
次に、上記第１の実施の形態の作用効果を説明する。
まず、装着に際しては、第３図に示すように、パンツ形状に形成してパンツのように装着する。
背側胴回り部１３に、幅方向に伸縮する背側弾性部材２４を複数配設して背側弾性領域２５を形成し、腹側胴回り部１５に、幅方向に伸縮する腹側弾性部材２６を複数配設して腹側弾性領域２７を形成したことにより、装着者の背側と腹側とで背側胴回り部１３と腹側胴回り部１５とがともに伸縮して胴回りの密着性が向上する。
また、背側弾性部材２４の本数を腹側弾性部材２６の本数よりも多くするとともに、背側弾性領域２５を腹側弾性領域２７よりもおむつ体１の長手方向に幅広に形成することにより、装着者の背側の密着性を向上してずれ落ちを防止する。特に、高齢者などの前傾姿勢の装着者が装着した場合には、その効果が顕著である。同時に、装着者の腹側を必要以上に締め付けず、圧迫感が軽減される。
さらに、各背側弾性部材２４の間隔Ｇ２を、各腹側弾性部材２６の間隔Ｇ４と略等しくし、かつ背側胴回り部１３の幅方向の両側部と腹側胴回り部１５の幅方向の両側部とを接合した際に、背側弾性部材２４の第３図に示す上側から２本目ないし５本目の両端部が各腹側弾性部材２６の両端部とそれぞれ連結されることにより、背側胴回り部１３と腹側胴回り部１５とが、装着者の腰回り全周に亘って一体的に密着してずれ落ちを防止する。
そして、腰回り用弾性部材２３の間隔Ｇ１を、背側弾性部材２４の間隔Ｇ２および腹側弾性部材２６の間隔Ｇ４よりも小さくすることで、装着者の腰回りでの密着性を向上でき、ずれ落ちをより確実に防止できるとともに、背側胴回り部１３および腹側胴回り部１５に必要以上に弾性部材を配設して製造コストが高くなったり、背側胴回り部１３および腹側胴回り部１５の伸縮応力を高めすぎて装着者を圧迫したりすることを防止できる。
また、背側弾性領域２５および腹側弾性領域２７の応力が１．０Ｎ未満では、排尿後におむつ体１が装着者からずり落ちるおそれがあり、２．０Ｎより大きいと圧迫感が強くなり装着者の肌に背側弾性部材２４および腹側弾性部材２６の跡、いわゆるゴム跡が残るおそれがあるが、本実施の形態では、背側弾性領域２５の応力を１．５〜２．０Ｎとし、腹側弾性領域２７の応力を１．０〜１．５Ｎとしたことにより、おむつ体１の排尿後のずり落ちなどを防止し、かつ圧迫感を低減できる。
さらに、背側弾性領域２５の応力を腹側弾性領域２７の応力よりも大きくすることにより、装着者の背側の密着性がより向上する。
なお、上記第１の実施の形態において、第４図に示すように、背側弾性部材２４の本数を、第１図ないし第３図に示す実施の形態よりも多く、例えば１３本とし、各背側弾性部材２４の間隔Ｇ２を第１図ないし第３図に示す実施の形態の約半分とする構成も可能である。この場合には、背側胴回り部１３の伸縮性がさらに向上することにより、背側胴回り部１３の装着者の背側への密着性を向上でき、おむつ体１のずれ落ちを、より確実に防止できる。
また、第５図に示すように、腰回り用弾性部材２３と背側弾性部材２４との間隔Ｇ３を、各背側弾性部材２４の間隔Ｇ２と略等しくする構成も可能である。この場合には、背側胴回り部１３の全体が弾性領域となって腰回り用弾性部材２３による弾性領域から背側弾性領域２５まで背側胴回り部１３が一体的に伸縮し、装着者の背側への密着性を向上でき、おむつ体１のずれ落ちを、より確実に防止できる。
さらに、背側弾性部材２４と腹側弾性部材２６とを、おむつ体１を第３図に示すパンツ形状に形成した際に、互いに両端部が連結しない状態、いわゆる互い違いになるようにそれぞれ配設することも可能である。
そして、背側弾性部材２４の本数をさらに増やすなどして背側弾性領域２５の伸縮率を腹側弾性領域２７の伸縮率よりも大きくできれば、背側弾性部材２４と腹側弾性部材２６との材質などは限定されず、例えば背側弾性部材２４を腹側弾性部材２６の伸縮率よりも小さいものとしてもよい。
次に、本発明の第２の実施の形態を第６図を参照して説明する。
この第６図に示す実施の形態は、上記第１図ないし第３図に示す実施の形態と基本的に同様の構成を有しているが、背側弾性部材２４は、背側胴回り部１３における内側シート片１１および外側シート片１２の間に、複数、例えば８本形成されている。
また、腹側弾性部材２６は、腹側胴回り部１５における内側シート片１１および外側シート片１２の間に、複数、例えば６本形成されている。
そして、背側弾性部材２４の腰回り用弾性部材２３に最も近い部分、すなわち第６図に示す一番上側に位置した背側弾性部材２４と腰回り用弾性部材２３との間隔Ｇ３が、腹側弾性部材２６の腰回り用弾性部材２３に最も近い部分、すなわち第６図に示す一番上側に位置した腹側弾性部材２６と腰回り用弾性部材２３との間隔Ｇ５と略等しくなるように配設されている。
このため、各腹側弾性部材２６の両端部は、おむつ体１を第６図に示すパンツ形状に形成した際に、背側弾性部材２４の第６図に示す上側から１本目ないし６本目の両端部と互いに連結される。
また、吸収体４は、腹側弾性領域２７に重ならず、かつ背側弾性領域２５の脚回り部１６側、例えば第６図に示す下側に位置した背側弾性部材２４における、下側から１本目ないし３本目に重なるように配設されている。
そして、装着に際しては、おむつ体１を第６図に示すパンツ形状に形成して、パンツのように装着すると、背側胴回り部１３と腹側胴回り部１５との腰回り開口部２１側全体が弾性領域となるため、背側胴回り部１３と腹側胴回り部１５とが装着者の腰回り全周に亘って一体的に密着してずれ落ちを防止する。
また、吸収体４を背側弾性領域２５と重なる位置に配設することにより、吸収体４の長さが背側胴回り部１３と腹側胴回り部１５とで略同一であっても、吸収体４が装着者の背側に密着し、吸収体４を背側に必要以上に長くすることなく、尿などの排泄液の背側からの漏れを防止する。
次に、本発明の第３の実施の形態を第７図を参照して説明する。
この第７図に示す実施の形態は、上記第１図ないし第３図に示す実施の形態と基本的に同様の構成を有しているが、背側弾性部材２４は、背側胴回り部１３における内側シート片１１および外側シート片１２の間に、複数、例えば７本形成されている。
また、腹側弾性部材２６は、腹側胴回り部１５における内側シート片１１および外側シート片１２の間に、複数、例えば６本形成されている。
さらに、腹側弾性部材２６における脚回り部１６に最も近い部分、すなわち第７図に示す一番下側に位置した腹側弾性部材２６は、背側弾性部材２４における脚回り部１６に最も近い部分、すなわち第７図に示す一番下側に位置した背側弾性部材２４よりも脚回り部１６寄りの位置、すなわち第７図に示す下側に配設されている。
そして、腹側弾性部材２６における腰回り用弾性部材２３に最も近い部分、すなわち第７図に示す一番上側に位置した腹側弾性部材２６は、おむつ体１を第７図に示すパンツ形状に形成した際に、背側弾性部材２４における第７図に示す上側から３本目と略等しい位置になるように配設されている。
したがって、腹側弾性部材２６の第７図に示す上側から１本目ないし５本目の両端部は、おむつ体１を第７図に示すパンツ形状に形成した際に、背側弾性部材２４における第７図に示す上側から３本目ないし７本目と互いに連結される。
また、吸収体４は、背側弾性領域２５に重ならず、かつ腹側弾性領域２７の脚回り部１６側、例えば第７図に示す下側に位置した腹側弾性部材２６における、下側から１本目および２本目に重なるように配設されている。
そして、装着に際しては、おむつ体１を第７図に示すパンツ形状に形成して、パンツのように装着する。
また、腹側弾性部材２６における脚回り部１６に最も近い部分を、背側弾性部材２４における脚回り部１６に最も近い部分よりもこの脚回り部１６寄りに配設することにより、装着者の腹側を必要以上に締め付けることを防止する。
さらに、吸収体４を腹側弾性領域２７と重なる位置に配設することにより、吸収体４の長さが背側胴回り部１３と腹側胴回り部１５とで略同一であっても、吸収体４が装着者の腹側に密着し、吸収体４を腹側に必要以上に長くすることなく、腹側からの漏れを防止する。
なお、上記第３の実施の形態において、第８図に示すように、背側弾性部材２４の最も脚回り部１６に近い部分、すなわち第８図に示す一番下側に位置した背側弾性部材２４と脚回り部１６との間隔Ｇ６が、腹側弾性部材２６における最も脚回り部１６に近い部分、すなわち第８図に示す一番下側に位置した腹側弾性部材２６と脚回り部１６との間隔Ｇ７と略等しくなるように配設してもよい。この場合には、背側胴回り部１３と腹側胴回り部１５との脚回り部１６側全体が弾性領域となるため、背側胴回り部１３と腹側胴回り部１５とを装着者の脚回り全周に亘って一体的に密着できる。
また、上記各実施の形態において、背側弾性領域２５および腹側弾性領域２７が所望の応力になるようにすれば、背側弾性部材２４および腹側弾性部材２６の本数などに応じて、これら背側弾性部材２４および腹側弾性部材２６の伸張応力および伸長率を任意に変化させてもよい。
【産業上の利用の可能性】
以上のように、本発明の使い捨て吸収性物品は、例えば大人用、あるいは失禁用などの使い捨ておむつとして利用される。
【図１】
2004054482.tif 000003
【図２】
2004054482.tif 000004
【図３】
2004054482.tif 000005
【図４】
2004054482.tif 000006
【図５】
2004054482.tif 000007
【図６】
2004054482.tif 000008
【図７】
2004054482.tif 000009
【図８】
2004054482.tif 000010
【国際調査報告】
2004054482.tif 000011
2004054482.tif 000012
2004054482.tif 000013
2004054482.tif 000014